(57)【特許請求の範囲】
【請求項１】
スカート壁下端に一定の隙間を介してブリッジによって接続されたタンパーエビデントバンドを有する合成樹脂製キャップにおいて、前記スカート壁内周面は、スカート壁上部内周面の下端に段差面を介してスカート壁下部内周面を有しており、前記ブリッジは、
その上部が前記スカート壁下部内周面に接続したスカート壁接続部と、下部が前記タンパーエビデントバンドの内周面に接続したタンパーエビデントバンド接続部となっており、且つ前記スカート壁接続部の上端はスカート壁本体の前記段差面まで延びて接続している内接ブリッジと、
該内接ブリッジの外側にスカート壁下端から前記隙間の中間近傍まで延びた上側部と、タンパーエビデントバンドの上端から前記隙間の中間近傍まで延びた下側部とが一定の間隔を有する括れ部を形成して前記内接ブリッジと一体となっている補助ブリッジ
を有していることを特徴とする合成樹脂製キャップ。
【請求項２】
前記内接ブリッジは、前記スカート壁接続部から前記隙間の略中間部までは、広幅肉厚に形成された広幅肉厚部となり、該広幅肉厚部から下方のタンパーエビデントバンド接続部を含む下方は細幅肉薄に形成された細幅肉薄部となっている請求項１に記載の合成樹脂製キャップ。
【請求項３】
スカート壁下端に一定の隙間を介してブリッジによって接続されたタンパーエビデントバンドを有する合成樹脂製キャップにおいて、前記スカート壁内周面は、スカート壁上部内周面の下端に段差面を介してスカート壁下部内周面を有しており、
前記ブリッジは、その上部が前記スカート壁下部内周面に接続したスカート壁接続部と、下部が前記タンパーエビデントバンドの内周面に接続したタンパーエビデントバンド接続部となっており、且つ前記スカート壁接続部の上端はスカート壁本体の前記段差面まで延びて接続している内接ブリッジからなり、
該記内接ブリッジは、前記スカート壁接続部から前記隙間の略中間部までは、広幅肉厚に形成された広幅肉厚部となり、該広幅肉厚部から下方のタンパーエビデントバンド接続部を含む下方は細幅肉薄に形成された細幅肉薄部となっていることを特徴とする合成樹脂製キャップ。
【請求項４】
前記ブリッジは、周方向に２本づつ対になって所定間隔に設けられている請求項１〜３何れかに記載の合成樹脂製キャップ。
【発明の詳細な説明】
【技術分野】
【０００１】
本発明は、合成樹脂製キャップ、特に射出成形により形成される合成樹脂製キャップのスカート壁下端部とタンパーエビデントバンド間に設けられるブリッジの形状に関する。
【背景技術】
【０００２】
タンパーエビデントバンド（以下、ＴＥバンドという）付合成樹脂製キャップは、スカート壁下端とＴＥバンドとが開栓時に破断するブリッジで連結され、ブリッジの破断を観察することによって開栓の有無が識別されタンパーエビデント性を確保している。ところで、ＴＥバンド付き合成樹脂製キャップは、前記ブリッジ間の切断空隙部がキャップ成形時に金型によって形成される場合と、キャップ成形後後加工により切断して形成する場合があり、成形により成形する場合は、スカート壁下端とＴＥバンドとの間には比較的大きな隙間（溝）があり、該隙間を跨いで複数個のブリッジが形成され、後加工により切断して形成する場合はスリット状であり隙間は微小である。ところで、巻締強度及び開栓強度を一定にするためには、ブリッジが周方向に均等に配置され、且つ全ブリッジが同一形状で同一強度を有しているのが望ましい。しかしながら、ブリッジは放射線上に配置されるため、その向きも放射方向となり、ブリッジの向きはそれぞれ異なることになり、射出成形等でブリッジ及び隙間を形成する場合、２個の割型からなる雌型と雄型からなる金型で成形すると、割型の開閉方向と異なる向きのブリッジはアンダーカットとなり、成形後の型抜きができなくなる。そのため、従来図６（ａ）に示すように、ブリッジ４０がアンダーカットとならないように、ブリッジ４０の形状を金型抜き方向に揃えるため、ブリッジの位置によってその形状を変えなければならず、その形状や大きさ及びその本数と配置に制限を受け、同一形状のブリッジを均等に配置することはできないという問題点がある。なお、図６において、４１がスカート壁であり、４２がＴＥバンド、４３が係合フラップである。
【０００３】
また、ブリッジは開栓によって破断されて破断片がスカート壁下端とＴＥバンド上端に突起として残る。ブリッジが中間部から確実に破断されれば、破断片はスカート壁下端とＴＥバンド上端に均等な高さの突起として残り、その場合突起の高さは低いので開栓後のキャップのスカート壁下端又はＴＥバンド上端に指又は唇が触れてもさほど刺激を与えることがない。しかしながら、ブリッジの破断は中間から破断されるとは限らず、極端な場合はその基部から破断されることもあり、そのような場合、スカート壁下端又はＴＥバンド上端の何れかに高い突起が残ることになり、それに指等が触れることによって強い刺激を与えるという問題点がある。
そのような問題点を解決するものとして、ブリッジが上端部にキャップの内側へ傾斜する斜面をもち上方の幅が下方の幅より狭い台形板状で、上端部外側面をスカート壁の下端部内面に接続し、下端部外面側をＴＥバンドの上端部内面に接続することによって、割型に対するアンダーカットを解消したものが提案されている（特許文献１）。
【特許文献１】特開２００１−３０１７８６号公報
【発明の開示】
【発明が解決しようとする課題】
【０００４】
上記提案されているものは、雌型に対するアンダーカットを解消しブリッジを同一形状に形成できる点で従来の上記問題点を解消するものである。しかしながら、雄型にキャビティを形成したブリッジが雄型に対しては無理抜きが生じる点では未だ満足するものではない。また、ブリッジがスカート壁下端から切れるので、キャップのスカート壁下端にはブリッジの破断片の残りは少ないが、その分ＴＥバンドの上端部により大きな破断片が残り、ボトル口頚部に残ったＴＥバンドの上端に指や唇が触れると該破断片に強い刺激を与える恐れがあるという点で解決すべき課題がある。
【０００５】
そこで、本発明は、射出成形で形成されるＴＥバンド付合成樹脂製キャップにおいて、ブリッジの形状や大きさ及び本数を自由に設けることができて安定した開栓強度を保つことができ、且つ型抜きに際してアンダーカットとなる部分がなく容易に型抜きすることができ、しかもブリッジの破断位置をブリッジのほぼ中央位置に特定でき、スカート壁下端部及びＴＥバンド上端に大きな破断片が残ることがない合成樹脂製キャップを提供することを目的とする。
【課題を解決するための手段】
【０００６】
上記問題点を解決する請求項１の発明の合成樹脂製キャップは、スカート壁下端に一定の隙間を介してブリッジによって接続されたタンパーエビデントバンドを有する合成樹脂製キャップにおいて、前記スカート壁内周面は、スカート壁上部内周面の下端に段差面を介してスカート壁下部内周面を有しており、前記ブリッジは、その上部が前記スカート壁下部内周面に接続したスカート壁接続部と、下部が前記タンパーエビデントバンドの内周面に接続したタンパーエビデントバンド接続部となっており、且つ前記スカート壁接続部の上端はスカート壁本体の前記段差面まで延びて接続している内接ブリッジと、該内接ブリッジの外側にスカート壁下端から前記隙間の中間近傍まで延びた上側部と、タンパーエビデントバンドの上端から前記隙間の中間近傍まで延びた下側部とが一定の間隔を有する括れ部を形成して前記内接ブリッジと一体となっている補助ブリッジを有していることを特徴とするものである。
また、請求項２の発明は、請求項１の合成樹脂製キャップにおいて、該内接ブリッジは、前記スカート壁接続部から前記隙間の略中間部までは、広幅肉厚に形成された広幅肉厚部となり、該広幅肉厚部から下方のタンパーエビデントバンド接続部を含む下方は細幅肉薄に形成された細幅肉薄部となっていることを特徴とするものである。
【０００７】
上記問題点を解決する請求項３の発明の合成樹脂製キャップは、スカート壁下端に一定の隙間を介してブリッジによって接続されたタンパーエビデントバンドを有する合成樹脂製キャップにおいて、前記スカート壁内周面は、スカート壁上部内周面の下端に段差面を介してスカート壁下部内周面を有しており、前記ブリッジは、その上部が前記スカート壁下部内周面に接続したスカート壁接続部と、下部が前記タンパーエビデントバンドの内周面に接続したタンパーエビデントバンド接続部となっており、且つ前記スカート壁接続部の上端はスカート壁本体の前記段差面まで延びて接続している内接ブリッジからなり、該内接ブリッジは、前記スカート壁接続部から前記隙間の略中間部までは、広幅肉厚に形成された広幅肉厚部となり、該広幅肉厚部から下方のタンパーエビデントバンド接続部を含む下方は細幅肉薄に形成された細幅肉薄部となっていることを特徴とするものである。
さらに請求項４の発明は、請求項１〜３に記載の合成樹脂製キャップにおいて、前記ブリッジが、周方向に２本対づつ所定間隔で設けられていることを特徴とするものである。
【発明の効果】
【０００８】
請求項１の発明によれば、射出成形等成形により形成されるＴＥバンドにおいて、ブリッジの形状や大きさ及び本数を自由に設けることができ、且つ型抜きに際してアンダーカットとなることなく容易に型抜きすることができる。その結果、全てのブリッジの断面形状を同形状に形成することができ、ブリッジの破断強度が均一になると共に、ブリッジの配置を均等化でき、キャップ装着時のブリッジの破断を防ぎ、且つ開栓強度を一定に保つことができ、タンパーエビデンス性を向上させることができる。また、ブリッジの形状を同一にできるので、金型加工が容易であるという利点もある。
また、請求項２の発明によれば、前記効果に加えて補助ブリッジによりブリッジの破断位置を架橋部のほぼ中央位置に特定でき、スカート壁下端部及びＴＥバンド上端に大きな破断片が残ることがない合成樹脂製キャップを得ることができる。さらに、請求項３の発明によれば、前記内接ブリッジを隙間の略中間部で広幅肉厚部と細幅肉薄部に急激に断面形状が変化するように設けたので、補助ブリッジの効果に加えてさらに効果的にブリッジの破断位置を一定にすることができ、より安全な合成樹脂製キャップを得ることができる。なお、補助ブリッジは、それだけで通常のブリッジを構成するものではないため、極微小な突出量であり、略均等な形状となる。そのため、ブリッジの破断強度が異なることはない。
さらに、請求項４の発明によれば、ブリッジを２本対で隣接して設けるので、各ブリッジを細くして強度を持たせることができ、それだけ洗浄時のブリッジ間の洗浄水の通りがよくなるので、特にボトル口部に内容物の付着しやいす内容物充填用のキャップに好適である。
【発明を実施するための最良の形態】
【０００９】
以下、本発明の実施形態に係る合成樹脂製キャップを図面を基に詳細に説明する。
図１は合成樹脂製キャップの正面図であり、図２は断面正面図、図３は図２のＡ−Ａ切断平面図、図４は図２における図３のＢ−Ｂ断面相当部の拡大図、図５は図４のＣ−Ｃ断面矢視図である。図中、１は合成樹脂製キャップであり、スカート壁２の下端部に複数本のブリッジ３を介してＴＥバンド４が設けられている。ＴＥバンド４の上端面には、スカート壁２の下端部とＴＥバンドとの間に形成される隙間５に所定間隔で突出した支持突条６が所定間隔で設けられ、キャッピング時等にキャップに軸力が付加された場合、スカート壁下端に当接してブリッジ３が破損するのを防止するようになっている。また、７はＴＥバンド上端に設けられたストッパーであり、８はスカート壁下端に設けられたストッパーであり、これらの構成は従来のキャップと同様な構成が適宜採用できるので、詳細な説明は省略し、本発明の特徴部分であるブリッジの構成についてのみ詳細に説明する。
【００１０】
本実施形態に係る合成樹脂製キャップにおけるブリッジの構成の特徴は、射出成形後割型からなる雌型の型抜きに際してブリッジがアンダーカットとならないように、雄型にキャビティを形成して内接ブリッジとして形成し、且つ該内接ブリッジの上端が雄型の型抜きに際してアンダーカットとならないように工夫し、さらにブリッジが特定位置で切断するように補助ブリッジを有していることを特徴とし、その特徴部が図４〜５に拡大して最もよく示されている。
【００１１】
本実施形態に係る合成樹脂製キャップにおいて、スカート壁２の内周面は、スカート壁上部内周面３２の下端に外方に延びる段差面３３を介してスカート壁下部内周面３０を有している。本実施形態のブリッジ３は内接ブリッジ１０と補助ブリッジ１１とから構成されている。内接ブリッジ１０は、図４及び図５に示すように、上部がスカート壁下部内周面３０に内方に突出して接続したスカート壁接続部１２となっており、下部が前記ＴＥバンド上方内周面３１に内方に突出して接続したＴＥバンド接続部１３となっており、その中間がスカート壁下端とＴＥバンド上端との隙間５に面する架橋部１４となっており、スカ−ト壁２のスカート壁下部内周面３０とＴＥバンド上方内周面３１に内接して形成されている。そして、スカート壁接続部１２の上端は、図４に明示するように、スカート壁上部内周面３２からスカート壁下部内周面３０に傾斜した段差面３３まで延びて衝合した状態にある。それにより、内接ブリッジ１０の上端でアンダーカットが形成されることを解消し、雄型（コア型）の下方方向への型抜きに際してブリッジによる無理抜きが生じることを完全に解消している。
そして、本実施形態では内接ブリッジ１０は、図４に明示するように、後述する補助ブリッジの上側部２１の下端位置までは、スカート壁接続部１２と周方向同じ幅で肉厚の広幅肉厚部１７に形成して、該広幅肉厚部から垂直段差面１６を経てＴＥバンド接続部１３までを肉薄に且つ細幅にして細幅肉薄部１８に形成している（図２〜５参照）。それにより、開栓時のブリッジの破断が垂直段差面１６の下端位置に応力が集中してそこから破断し易くなるようにし、後述する補助ブリッジの機能とあいまって、破断位置をブリッジの架橋部１４の略中間位置に確実に特定させるようにした。前記広幅肉厚部１７の下端位置は、少なくとも後述する補助ブリッジ１１の括れ部２３に対応した位置に設けられることが重要であり、好ましくは補助ブリッジ１１の上側部２１の下端位置に設けられる。
【００１２】
補助ブリッジ１１は、前記内接ブリッジ１０の外側に（つまり、隙間５内に突出するように）スカート壁下端から前記隙間の中間近傍まで延びた上側部２１と、タンパーエビデントバンドの上端から前記隙間の中間近傍まで延びた下側部２２とが一定の間隔を有する括れ部２３を形成して前記内接ブリッジと一体に形成されている。補助ブリッジ１１の上側部２１及び下側部２２の形状は、図４及び図５に示すように、外周面が全体的に緩やかな曲線状を呈し、雌型の型抜きに際してアンダーカットとならないように形成している。そして、上側部２１及び下側部２２の周方向の幅は、図５に示すように、内接ブリッジ１０の広幅肉厚部１７と同幅に形成し、ブリッジの安定した強度と切断位置の特定化を図っている。
【００１３】
また本実施形態では、内接ブリッジ１０と補助ブリッジ１１からなるブリッジ３を図２、図３に示すように、２個を隣接して設け、それを一組として周方向に一定間隔で複数組（図の実施形態では８組）配置した。それにより、キャップのキャッピング後の洗浄時にブリッジによって、洗浄水の通過が遮られるのを最小限にし、洗浄効果を高めるようにすると共に、ブリッジ強度を持たせるようにして、キャッピング後のキャップ及び容器口部の洗浄効果を高めるようにした。しかしながら、本発明はそれに限るものでなく、例えば図３に示すより大き目のブリッジを周方向に等間隔に複数個（例えば８個）形成するようにしてもよい。
【００１４】
本実施形態の合成樹脂製キャップは、以上のように構成され、内接ブリッジ１０はスカート壁下部内周面３０及びＴＥバンド上方内周面３１から突出して設けられて、雄型キャビティで成形されるため、割型である雌型の横方向への型抜きに支障になることはないので、従来のように型抜き方向にブリッジの形状を揃えるために個々のブリッジの形状を変える必要がなく、ブリッジの形状や大きさ、本数を自由に設けることができる。したがって、ブリッジの断面形状を同形状に形成することができ、ブリッジの破断強度が均一になると共に、ブリッジの配置を均等化でき、キャップ装着時のブリッジの部分的な破断を防ぎ、且つ開栓時のタンパーエビデンス性を向上させることができる。また、ブリッジの形状を同一にできるので、金型加工が容易であるという利点もある。補助ブリッジ１１は、雌型キャビティによって形成されるが、図４及び図５に示すようにその外周面が周方向及び高さ方向とも緩やかな曲線状に形成されているため、雌型の離型時にアンダーカットとなることがなく、容易に型抜きができる。補助ブリッジ１１は上側部２１と下側部２２の中間はなくその部は内接ブリッジの細幅薄肉部１８のみが存在するので、ブリッジ全体としてはその部分が括れた形状を呈し、しかもその垂直段差面及び補助ブリッジによる肉厚変化が急激な部分であるので、開栓時にブリッジにかかる力がこの部分に集中し、そこから切断される。したがって、常にブリッジの架橋部の所定位置で切断することが可能であり、切断位置を開栓後のスカート壁下端及びＴＥバンド上端へのブリッジ残片の残り具合を任意に設定可能である。例えば、前記括れ部２３の位置を架橋部の中間位置でなく、スカート壁下端寄りに設定すればブリッジ破断片の残量はＴＥバンド上端に多くなり、逆にＴＥバンド寄りに設定すれば、スカート壁下端にブリッジ破断片の残量が多くなる。
【産業上の利用可能性】
【００１５】
本発明の合成樹脂製キャップは、射出成形で形成される合成樹脂製容器、ガラス製容器又紙製容器用のキャップとして、充填法としては特にアセプティック充填用に好適であるが、それに限らずホットパックや常温充填等いかなる充填に適用でき、また容器内圧が陰圧、陽圧何れを問わず好適に利用可能である。
【図面の簡単な説明】
【００１６】
【図１】本発明の実施形態に係る合成樹脂製キャップの正面図である。
【図２】その断面正面図である。
【図３】図２のＡ−Ａ切断平面図である。
【図４】図３のＢ−Ｂ断面拡大図である。
【図５】図４のＣ−Ｃ断面矢視図である。
【図６】（ａ）は従来の射出成形された合成樹脂製キャップのブリッジ位置らの切断平面図、（ｂ）はそのＤ−Ｄ断面の拡大図である。
【符号の説明】
【００１７】
１  合成樹脂製キャップ                      ２  スカート壁
３  ブリッジ                              
４  タンパーエビデント（ＴＥバンド）        ５  隙間
６  支持突条                            ７、８  ストッパー
１０  内接ブリッジ                          １１  補助ブリッジ
１２  スカート壁接続部                      １３  ＴＥバンド接続部
１４  架橋部                                １６  垂直段差部
１７  広幅肉厚部                            １８  細幅肉薄部
２１  上側部                                ２２  下側部
２３  括れ部
３０  スカート壁下部内周面                  ３１  ＴＥバンド上方内周面
３２  スカート壁上部内周面                  ３３  段差面
【図１】
0004818739.tif 000002
【図２】
0004818739.tif 000003
【図３】
0004818739.tif 000004
【図４】
0004818739.tif 000005
【図５】
0004818739.tif 000006
【図６】
0004818739.tif 000007